(57)【要約】  台所用機器は、モータへの電力の供給を制御するための電源スイッチと、速度を制御するための別個の制御回路１８と、を持つ。作動及び速度の両方を制御するための、ユーザによる制御のためのボタン１４が備えられる。担体４０が、該ボタンを担持し、更に該ボタンを最初に動かされたときに電源スイッチを機械的に作動させるための第１のアクチュエータ４４、８６を担持する。該ボタンが更に動かされると、モータの速度が制御される。
2016538913.tif 000002
【特許請求の範囲】
【請求項１】
押しボタン構成及びモータを有する台所用機器であって、前記押しボタン構成は、前記モータのオン／オフ作動及び前記モータの速度を制御するものであり、前記台所用機器は、
電源スイッチと、
前記電源スイッチとは別個の速度制御回路と、
ユーザにより動かされるボタンと、
前記ボタン、第１のアクチュエータ及び第２のアクチュエータを担持する担体と、
を有し、
前記第１のアクチュエータは、前記ボタンが最初に動かされたときに、前記電源スイッチを機械的に作動させるものであり、
前記第２のアクチュエータは、前記ボタンが更に動かされたときに、前記モータの速度を制御するための速度制御回路を制御するものである、
台所用機器。
【請求項２】
前記速度制御回路は、移動感知回路を有し、前記第２のアクチュエータは、前記移動感知回路を制御するための移動要素を有する、請求項１に記載の台所用機器。
【請求項３】
前記第１のアクチュエータは、前記ボタンが最初に動かされたときに、前記電源スイッチと機械的に係合するための、前記ボタンの下の、前記担体により担持された、ばね荷重ピンを有する、請求項１又は２に記載の台所用機器。
【請求項４】
前記電源スイッチは、前記スイッチを閉じるため前記第１のアクチュエータにより押される押し接触部を備えたマイクロスイッチを有する、請求項１乃至３のいずれか一項に記載の台所用機器。
【請求項５】
前記電源スイッチは、前記ボタンが最初に動かされたときに前記第１のアクチュエータにより短絡される一対の電気接点を有する、請求項１乃至３のいずれか一項に記載の台所用機器。
【請求項６】
前記電源スイッチは、前記ボタンが最初に動かされたときに短絡部材により短絡される一対の電気接点を有し、前記短絡部材は、前記短絡部材は、非短絡位置へと付勢され、前記担体の動きによって、短絡位置へと動かされる、請求項１乃至３のいずれか一項に記載の台所用機器。
【請求項７】
前記担体を初期ボタン位置へと付勢するための戻しばねを更に有する、請求項１乃至６のいずれか一項に記載の台所用機器。
【請求項８】
前記戻しばねはコイルばねを有する、請求項７に記載の台所用機器。
【請求項９】
前記速度制御回路は、前記ボタンが最終位置に動かされたときに速度の段階状の増大をもたらすよう制御される、請求項１乃至８のいずれか一項に記載の台所用機器。
【請求項１０】
ボタンの動きの間に触知型、可聴型又は可視型フィードバックを提供するための触知型、可聴型又は可視型のフィードバックシステムを更に有する、請求項１乃至９のいずれか一項に記載の台所用機器。
【請求項１１】
前記電源スイッチは、初期ボタン位置から３ｍｍ以内、好適には前記初期ボタン位置から２ｍｍ以内のボタンの動きで機械的に作動させられる、請求項１乃至１０のいずれか一項に記載の台所用機器。
【請求項１２】
前記ボタンの動きは、最大でも２０ｍｍ、好適には最大でも１０ｍｍに制限された、請求項１乃至１１のいずれか一項に記載の台所用機器。
【請求項１３】
前記ボタンは、押すことによって前記ボタンを押し下げることにより動かされる、請求項１乃至１２のいずれか一項に記載の台所用機器。
【請求項１４】
前記機器は、
バーブレンダー、
ミキサ、
チョッパ、
フードプロセッサ、
グラインダ、及び
ジューサ
のうちの１つを有する、請求項１乃至１３のいずれか一項に記載の台所用機器。
【請求項１５】
バーブレンダーを有し、前記バーブレンダーは、ハンドル把持部を持つ主筐体を有し、前記モータは、ブレンダー刃を駆動するため前記筐体内にあり、前記ボタンは、前記ハンドル把持部に配置された、請求項１４に記載の台所用機器。
【発明の詳細な説明】
【技術分野】
【０００１】
本発明は、速度調節機能を持つ台所用機器に関する。例のひとつはバーブレンダー（bar blender）である。
【背景技術】
【０００２】
台所用機器においては、法令により別個の電源回路と制御回路とが必要とされる。この理由のため、バーブレンダーのような現在の台所用機器は、電源制御と速度調節とで電気的な分離を提供するユーザインタフェースを持つ。斯くして、バーブレンダーは一般に、オンオフ制御スイッチと、別個の速度制御入力部を持つ。使用が簡単な装置を提供するユーザインタフェースを実装する、種々の方法がある。
【０００３】
第１の既知の手法は、速度の事前選択スイッチと、押し続けられる必要がある別個の押すタイプのオン／オフスイッチと、を備えることである。該オン／オフスイッチを押すことによって器具の回転が起動される前に、速度が予め選択される。幾つかの装置は、速度を増大させる付加的なターボスイッチを有する。
【０００４】
第２の既知の手法は、オン及びオフ位置にロックされることができるスイッチの形をとるオン／オフスイッチと、別個の速度調整スイッチと、を備えることである。速度調整スイッチは、圧力感応型であっても良いし、又は速度に関連する径路に沿って動くことができるものであっても良い。
【発明の概要】
【発明が解決しようとする課題】
【０００５】
単一スイッチの方法をもたらすため、組み合わせられたオン／オフ及び速度調整スイッチを備えることが、より便利となり得る。このことは、１つのユーザインタフェースのみを用いたユーザ操作を可能とし得る。しかしながら、このことは別個の回路の要件と相容れない。更に、バーブレンダーのようなハンドヘルド型装置については、装置全体が手のひらに把持されるため、入力スイッチの動きの量が制約される。それ故、小型のスイッチ構成が必要とされる。とりわけ押しスイッチは、長い動きの経路は品質悪く消費者に関連させられ装置の正確な動作を阻害するため、短い動きの経路を持つべきである。
【課題を解決するための手段】
【０００６】
本発明は、請求項により定義される。
【０００７】
本発明の一態様によれば、押しボタン構成及びモータを有する台所用機器であって、前記押しボタン構成は、前記モータのオン／オフ作動及び前記モータの速度を制御するものであり、前記台所用機器は、
電源スイッチと、
前記電源スイッチとは別個の速度制御回路と、
ユーザにより動かされるボタンと、
前記ボタン、第１のアクチュエータ及び第２のアクチュエータを担持する担体と、
を有し、
前記第１のアクチュエータは、前記ボタンが最初に動かされたときに、前記電源スイッチを機械的に作動させるものであり、
前記第２のアクチュエータは、前記ボタンが更に動かされたときに、前記モータの速度を制御するための速度制御回路を制御するものである、
台所用機器が提供される。
【０００８】
本発明は斯くして、電源のオン／オフ機能と速度制御機能とを単一の可動ボタンに組み合わせた台所用機器を提供する。別個の速度制御回路と電源スイッチとが備えられるが、これらは共に、該ボタンにより動かされる同一の担体により担持されるそれぞれのアクチュエータにより操作される。該ボタンは例えば、該機器のユーザにより押下されても良いが、該ボタンは滑動又は枢動の動きを持つよう構成されても良い。
【０００９】
前記速度制御回路は、移動感知回路を有しても良く、前記第２のアクチュエータは、前記移動感知回路を制御するための移動要素を有しても良い。該移動感知回路は、移動の量の関数である抵抗、キャパシタンス又はインダクタンスを持っても良く、このとき当該抵抗、キャパシタンス又はインダクタンスのレベルが、速度を制御するために用いられる。最も単純な実装においては、該移動感知回路は、離散的な抵抗器のセット又は電位差計を有し、このとき該第２のアクチュエータは、所望の抵抗器若しくは抵抗器のセット又は所望の電位差の設定を持つ電気回路を生成するための接触要素を有する。
【００１０】
前記第１のアクチュエータは、前記ボタンが最初に動かされたときに、前記電源スイッチと機械的に係合するための、前記ボタンの下の、前記担体により担持された、ばね荷重ピンを有しても良い。該ばね荷重は、該ピンが、電源スイッチと係合した後に後退しつつ、電源スイッチの作動を維持することを可能とする。
【００１１】
前記電源スイッチは、前記スイッチを閉じるため前記第１のアクチュエータにより押される押し接触部を備えたマイクロスイッチを有しても良い。このことは小型の構成をもたらす。更に、マイクロスイッチの適切な選択により、スイッチ接触部の信頼性が実現される。
【００１２】
別の実施例においては、前記電源スイッチは、前記ボタンが最初に動かされたときに前記第１のアクチュエータにより短絡される一対の電気接点を有しても良い。このことは、電源スイッチの更に簡略な構成を提供する。
【００１３】
別の実施例においては、前記電源スイッチは、短絡部材により短絡される一対の電気接点を有しても良く、前記短絡部材は、非短絡位置へと付勢され、前記短絡部材は、前記ボタンが最初に動かされたときに前記一対の電気接点と接触するよう動かされ、前記短絡部材は、前記担体の動きによって、短絡位置へと動かされる。
【００１４】
該担体を初期ボタン位置に付勢するため、好適には戻しばねが備えられる。該ばねは、電源スイッチが開き、第１のアクチュエータが電源から離される位置へと、ボタンを戻すよう構成される。該戻しばねはコイルばねを有しても良いが、他の付勢構成が利用されても良い。
【００１５】
前記速度制御回路は更に、前記ボタンが最終位置に動かされたときに速度の段階状の増大をもたらすよう制御されても良い。当該機能はしばしばターボ又はブースト機能と呼ばれ、可変速度制御の範囲の最終段階における最大速度よりも一段高い、最大の速度設定を提供する。
【００１６】
該機器は更に、ボタンの動きの間にフィードバックを提供するための触知型、可聴型又は可視型のフィードバックシステムを有しても良い。このことはユーザに、速度の更なる制御をもたらす。
【００１７】
好適には、前記電源スイッチは、初期ボタン位置から３ｍｍ以内、より好適には初期ボタン位置から２ｍｍ以内のボタンの動きで機械的に作動させられる。このことは、速度調節機能がイネーブルにされる前の短い動きの距離をもたらす。
【００１８】
前記ボタンの動きは、最大でも２０ｍｍ、より好適には最大でも１０ｍｍに制限されても良い。このことは、完全な制御が短距離の動きのなかで実現されることを意味し、ユーザに容易で最も快適なインタフェースをもたらすことが見出されている。
【００１９】
前記機器は、
バーブレンダー、
ミキサ、
チョッパ、
フードプロセッサ、
グラインダ、及び
ジューサ
のうちの１つを有しても良い。
【００２０】
これらの幾つかはハンドヘルド型装置であっても良く、その他はテーブル上に置かれるものであっても良い。いずれの場合にも、電源オン／オフ機能とともに速度制御が必要とされ、本発明は両方の機能を実装するための単一の制御ボタンを提供する。
【００２１】
本発明は例えば、ハンドル把持部を持つ主筐体と、ブレンダー刃を駆動するための筐体内のモータと、を有するバーブレンダーに特に有用である。前記電源スイッチは、前記モータへの電力の供給を制御するものであり、前記ボタンは、前記ハンドル把持部に配置される。
【００２２】
本発明の実施例は、添付図面を参照しながら、以下に詳細に説明される。
【図面の簡単な説明】
【００２３】
【図１】本発明のバーブレンダーを斜視図で示す。
【図２】内部の構成要素の構成を示すため上部カバーが取り外された図１のバーブレンダーを示す。
【図３】押しボタンを担持する筐体を更に詳細に示す。
【図４】筐体に装着された押しボタンを更に詳細に示す。
【図５】押しボタン及び筐体の断面図を示し、オン／オフ機能を更に明確に示す。
【図６】押しボタンの速度制御機能を更に明確に示す。
【図７】押しボタンの第１の代替実装例を示す。
【図８】押しボタンの第２の代替実装例を示す。
【発明を実施するための形態】
【００２４】
本発明は、モータへの電力の供給を制御するための電源スイッチと、速度を制御するための別個の制御回路と、を持つ台所用機器を提供する。ユーザによる制御のためのボタンは、作動及び速度を制御するために備えられる。担体が該ボタンを担持し、更に該ボタンが最初に動かされたときに電源スイッチを機械的に作動させるための第１のアクチュエータを担持する。該ボタンが更に動かされると、モータの速度が制御される。
【００２５】
このことは単一ボタン型の方法を提供し、電源オン／オフ機能と速度調節とを１つのスイッチに組み合わせ、最小限のボタンの移動距離しか伴わないよう設計され得る。
【００２６】
押しボタン型の制御入力部を持つバーブレンダーに適用された本発明を示す、詳細な実施例が以下に説明される。しかしながら、同じスイッチ設計は他の台所用機器に適用されることもでき、他の構成の二重機能ボタンとともに適用されることもできる。
【００２７】
図１は、本発明のスイッチ構成を用いたバーブレンダーの第１の実施例を、斜視図で示す。
【００２８】
該ブレンダーは、ハンドル把持部１２を持つ主筐体１０を有する。モータの作動及び速度を制御するためのユーザ制御スイッチは、該ハンドル把持部にある。本例においては、ユーザ制御スイッチは、ハンドルを把持したときのユーザの人差し指の位置に配置された、押しボタン１４を有する。離しボタン１５は、ブレンダーツール又は泡立てツールのような嵌合された取り付け具が取り替えられることを可能とする。
【００２９】
図２は、内部の構成要素の構成を示すため上部カバーが取り外された該バーブレンダーを示す。該バーブレンダーは、ブレンダー刃又はその他の取り付け具を駆動するためのモータ１６を主筐体内に持つ。
【００３０】
ハンドル把持部内に、モータ速度を制御するためのＰＣＢ１８上に装着された回路を含む該ブレンダーのための制御回路がある。
【００３１】
図示された本例においては、当該回路は、調節可能なモータ駆動を提供するための抵抗器を含む。当該抵抗回路は、直列に接続された一連の抵抗器を有しても良く、これが段階状の制御に帰着する。モータ駆動制御を実装するため、スライダがこれら抵抗器に接触しており、該スライダの動きがこれら抵抗器の１つの選択に帰着する。このことは、離散的な制御手法をもたらす。直接的に類似した代替例は、アナログ電位差計を利用することである。
【００３２】
押しボタン１４は筐体２０内に装着され、押しボタン１４が該筐体に対して滑動することを可能とされている。この目的のため、押しボタン１４は担体により担持されている（該担体と押しボタンとは単一の一体化された構成要素であっても良いことは理解されるべきである）。押しボタン１４とその担体は、本明細書において「押しボタン構成」と呼ばれるものの一部を形成する。該押しボタンは、ユーザが押下する外的な特徴であり、該担体はその下の構造であるとみなされることができる。
【００３３】
図３は、押しボタン構成を担持する筐体２０をより詳細に示す（押しボタンが取り外された状態）。該筐体は、押しボタン及びその担体のためのクレイドルを形成する。筐体２０の基部には、電源スイッチとして機能するマイクロスイッチ２２がある。該スイッチは、典型的には転換点機構（オーバーセンター機構としても知られる）の利用により、非常に小さな物理的な力により作動させられるスイッチである。切り換えは、アクチュエータの特定の及び反復可能な位置において、種々のスイッチ位置間に少量の移動量しか必要とせずに起こる。
【００３４】
電源入力ケーブル２４は、電源スイッチ２２を通って該装置の残りの部分に電気的に接続され、これにより電源スイッチ２２が該装置の残りの部分への電力の供給を制御し、斯くして（少なくとも）モータのための電力供給制御として機能する。
【００３５】
電源ケーブル２４は、筐体２０の一方の側（主筐体の上端）にあり、該筐体の他方の側はスロット２６を持つ。押しボタン構成は、押しボタンが動かされたときにスロット２６を滑動させて上下させる電気接点を含む。当該電気接点は、上述した離散的な抵抗器に接続するＰＣＢ１８上の電気接点トラックとインタフェース接続する。この目的のため、図示されるように、ＰＣＢ１８の端部はスロット２６と整合される。モータは図３には示されていないが、モータに固定されたモータ支持部は参照番号２８として示されている。
【００３６】
図４は、筐体２０に装着された押しボタン構成を、より詳細に示す。該押しボタン構成は、筐体２０に該押しボタン構成をクリップ式に留め、それにより該ボタンの上方向への動きを制限する、保持フック２９を持つ。下向きの動きは、該押しボタンが完全に押されたときに係合する機械的な止め構成により制限される。
【００３７】
図５は、該押しボタン構成及び筐体の断面図を示し、オン／オフ機能をより詳細に示す。
【００３８】
押しボタン１４及びその滑動可能な担体４０が、より明らかに示されている。該担体の基部４２は、筐体２０の対応する部分と共に、押しボタン１４の押し下げを制限する、上述した機械的な止め構成を定義する。
【００３９】
該筐体の基部には、マイクロスイッチ（電源スイッチ）２２が配置されている。ボタンが最初に押されたときに該電源スイッチと機械的に係合するための、ばね荷重ピン４４が、ボタン１４の下において滑動可能な担体４０により担持されている。当該ばね荷重ピンは、該ボタンが最初に押されたときに該電源スイッチを機械的に作動させるための第１のアクチュエータとして機能する。
【００４０】
該ばね荷重ピンのばね４５は、該ピン（この目的のため中空である）の中の中央に配置され、電源スイッチに向けて該ピンを付勢する。ばね力は、スイッチを作動させるのに十分なものである。
【００４１】
担体４０は、戻しばね４６により非押下位置に付勢される。図示された例においては、該戻しばねは、小型の構成をもたらすよう、ピン４４のばね４５とは同心的に外側に配置される。
【００４２】
ばね荷重ピン４４は、ばね４５により外向きに付勢され、止め構成に到達するが、このことは、担体４０が非押下位置にあるときには、該ピンが電源スイッチのすぐ上にあることを意味する。以下に説明されるように、約１ｍｍの間隙がある。ピン４４は後退することができ、滑動するスリーブ構成がこれを可能とする。
【００４３】
図５はまた、抵抗回路ＰＣＢ接点５０、及び担体４０により担持される接触要素５２を、より明確に示す。両面型ＰＣＢが用いられる場合には、ＰＣＢの各面に１つずつの、２つの接触要素５２が備えられ得るが、図５においては１つのみが示されている。ＰＣＢ１８の端部は、２つの接点５２の間の空間に位置している。ＰＣＢ端部に沿った接点５２の相対位置は、どのＰＣＢトラックが電気的に接続されるかを決定し、このことは速度制御回路の設定を決定する。
【００４４】
図６は、押しボタンの速度制御機能を、より明確に示す。ＰＣＢ１８は、抵抗器トラック５０を持ち、滑動接点５２は、担体４０と共に動きＰＣＢトラックと係合するよう装着される。該滑動接点（１つ以上存在しても良い）は、抵抗器の結合を制御する。このようにして、押しボタンの位置に依存して、回路抵抗が制御される。このことは次いで、例えば抵抗器の設定に依存して可変の負荷を持つトランジスタ回路のような、モータ制御回路に利用される。該滑動接点は、該ボタンが更に押されたときに、モータ速度を制御するための第２のアクチュエータとして機能する。
【００４５】
当該設計は、電源オン／オフ機能のためのマイクロスイッチを利用する。速度設定抵抗器は、ＰＣＢ上の導線により接続される。当該構成は、最小限の押しボタン経路長を可能とする。該マイクロスイッチの電源スイッチが最初に作動させられ、これに続く該押しボタンの経路により速度が調整される。
【００４６】
例えば、電源スイッチが作動させられた後、最初は該装置は回転しない。例えば２ｍｍの距離の移動の後、該装置が速度設定１で回転し始める。例えば１ｍｍの更なる移動距離の間、速度は速度１のままである。全体で３ｍｍの移動距離の後、スライダ５２は次の抵抗器に切り換わり、速度が速度設定２に設定される。斯くして該担体の漸進的な移動が、速度制御回路を種々の速度設定を通して段階状に変化させる。
【００４７】
抵抗器のトラックは、押しボタンの押下に関連する算術的関数に応じた速度を提供するよう設計されても良い。該関数は、線形、指数、カスケード型又はその他のいずれの適切な関数であっても良い。図示されていないが、該ブレンダーは更に、別個のターボブーストスイッチを含んでも良い。代替としては、ターボブースト機能は、例えば押しボタンの位置の最大の動き（最大の押下）においてのように、単一のスイッチにより実装されても良い。該ターボブースト機能は、ボタンが完全に動かされたとき（完全に押下されたとき）に速度の階段状の増大をもたらしても良い。斯くして、該速度制御は、第１の範囲における速度のセットからの速度の選択、又は該第１の範囲における最高の速度よりも大きな速度の選択を可能とし、更に、該第１の範囲におけるいずれの隣接する速度間の速度差に比べて大きな速度の上昇をも可能とする。
【００４８】
ユーザが押しボタンを押下すると、ばね荷重されたピンがマイクロスイッチに接触するまで、該スイッチが所定の経路に沿って、約１ｍｍ滑動する。当該初期の１ｍｍの間隙は、戻しばねが電源スイッチを実際に離さないことを確実にするための安全手段である。
【００４９】
該ピンは、約１ｍｍの切り換え経路を持つ、マイクロスイッチを即座に作動させることを可能とするため、ばね力により予め負荷を加えられている。例えば、該ばね荷重ピンのばね力は、戻しばねのばね力よりも大きくても良い。
【００５０】
このようにして、全体の経路が、バーブレンダーの消費者利用テストに基づく望ましい値である約２ｍｍとなることが、確実とされ得る。好適には、当該経路長は３ｍｍよりも短く、２ｍｍ以下であっても良い。
【００５１】
電源スイッチが作動させられると、モータ及び装着されたツールは、ゆっくりと回転を始める。一実施例においては、ユーザは更に、所望の速度を調節するため、８ｍｍに亘って経路に沿って押しボタンを更に動かしても良い。この動きの間、ピン４４は、ばね４５に抗して担体４０へと押し下げられる。８ｍｍの後、該担体は機械的な止め構成と当たる。ターボブースト機能が備えられている場合には、該ボタンが当該機械的に止められた、完全に押し下げられた位置にあるときのみ、該機能が実現されても良い。
【００５２】
ユーザが該ボタンを離すと、該スイッチは開始位置に戻され、マイクロスイッチの作動停止により電源から離される。斯くして、本例において総経路長は、１０ｍｍ以下に保たれ得る。一般に、当該経路長は２０ｍｍよりも短いことが好適である。
【００５３】
以上の例は、電源スイッチのためにマイクロスイッチを利用している。
【００５４】
図７は、電源スイッチの第１の代替実施例を示し、２つの垂直の角度でとられた断面図を示す。同じ構成要素については、第１の実施例と同じ参照番号が用いられている。該スイッチはここでもばね荷重ピン４４を持つが（図７においてはばねは示されていない）、本構成においては、該ピンは、筐体の基部における２つの離隔された接触電極７０、７２を直接に接触させることにより短絡をもたらすものである。このことは、より少ない構成要素で、更に小型の構成をもたらし得る。該ばね荷重ピンのばね力は、信頼性高い電気的な接触が維持されることを確実にするよう設計される。
【００５５】
図８は、電源スイッチの第２の代替実施例を示す。
【００５６】
一対の電気接点８０、８２が、筐体の基部の近くに、横方向に備えられる。これら接点を短絡させるための短絡部材８４が、筐体内に装着される。短絡部材８４は、ばね鋼構成８６により非短絡位置（図８に示される）へと付勢され、ボタンが最初に押下されたときに、短絡部材が動かされ該一対の電気接点と接触させられる。
【００５７】
短絡部材８４は、ボタンが押下されたときに短絡部材８４の表面と係合する、楔８７により接点８０、８２に対して押される。楔８７は、可動の担体４０の一部であり、従って該担体が押されると下に動く。短絡部材８４のばね付勢は、ボタンが離されたときに電気的接触が断たれることを確実にする。
【００５８】
以上の例は、戻しばねとしてコイルばねを利用している。しかしながら、リーフスプリングのような他のばねが利用されても良い。
【００５９】
以上の例においては、速度制御は、抵抗器のトラック構成に対して接点を動かすことによるものである。しかしながら、速度制御は、実際の電気的接点として機能するのではなく、速度制御回路の速度制御レバーに係合するアクチュエータであっても良い。斯くして、あわせて可変抵抗回路を形成する移動する接点及びＰＣＢの代わりに、ボタンの動きによって機械的に操作されるＰＣＢ上の離散的な速度制御回路（電位差計回路のような）が備えられても良い。抵抗器又は電位差計回路の代わりに、他の速度制御モジュールが利用されても良い。より一般的には、移動要素により制御される、いずれの移動感知回路が利用されても良い。該移動感知回路は例えば、抵抗的、誘導的又は容量的な移動感知に基づくものであっても良い。更なる代替の移動感知手法は、光学的感知又は磁場感知を含み、ここでは移動が光学的照度又は磁場の変化に帰着する。
【００６０】
以上の詳細な例においては、ボタン及びその担体は、筐体を滑動して出入りし、該ボタンはユーザが該ボタンを押すことにより押し下げられる。その代わりに、該ボタンは枢動しても良く、依然として基本的に同じユーザ体験をもたらし得る。更なる代替例は、筐体の容積に垂直に出入りする代わりに、水平に（即ち外側の筐体の表面と平行に）滑動するボタンである。斯くして、以上の実施例は、初期の非押下位置から完全に押下された位置へのボタンの押下を議論したが、本発明はより一般的には、いずれかの適切な態様で初期位置と最終位置との間で動かされるボタンに関する。
【００６１】
例えば押しボタンを振動させることにより若しくはクリック音を提供することによりクリック型の感覚を提供することによって、又はディスプレイにおいて若しくは照明により示唆を提供することによって、ユーザに触知型、可聴型又は光学型のフィードバックを提供することが、望ましいものとなり得る。このことは、ユーザにより大きな制御の感覚を与える。各クリックは、異なる電位差計設定、それ故速度設定に対応しても良い。
【００６２】
音響の及び触知型のフィードバックは、押しボタンが動かされたときに歯のセットに対して滑動するばね荷重金属接点を備えることにより実現されても良い。必要とされる力における振動は、触知型のフィードバックを提供し、望ましい場合には音もこのように提供されても良い。フィードバックを提供する、その他の方法が利用されても良い。
【００６３】
図面、説明及び添付される請求項を読むことにより、請求される本発明を実施化する当業者によって、開示された実施例に対する他の変形が理解され実行され得る。請求項において、「有する（comprising）」なる語は他の要素又はステップを除外するものではなく、「１つの（a又はan）」なる不定冠詞は複数を除外するものではない。特定の手段が相互に異なる従属請求項に列挙されているという単なる事実は、これら手段の組み合わせが有利に利用されることができないことを示すものではない。請求項におけるいずれの参照記号も、請求の範囲を限定するものとして解釈されるべきではない。
【図１】
2016538913.tif 000003
【図２】
2016538913.tif 000004
【図３】
2016538913.tif 000005
【図４】
2016538913.tif 000006
【図５】
2016538913.tif 000007
【図６】
2016538913.tif 000008
【図７】
2016538913.tif 000009
【図８】
2016538913.tif 000010
【国際調査報告】
2016538913.tif 000011
2016538913.tif 000012